(57)【特許請求の範囲】
【請求項１】
不織布を素材とする濾過材からなる二つの椀状体（１３，１４）で構成されるフィルタエレメントであって、
これらの二つの椀状体（１３，１４）は、いずれも一端面（３）を大開口部（４）としてその周縁に平面状の鍔部（１２）が形成され、前記大開口部（４）の周壁は、周方向に沿って凹凸状に折り曲げられ、前記一端面（３）と反対側の他端面（８）には、その壁面が内方に折り返されてなる管状の垂直部（９）及びこの垂直部（９）の管口を塞ぐ有底のカップ部（１０）からなる突出部（１１）が設けられ、
一方の椀状体（１３）のカップ部（１０）を切断して小開口部（１６）を形成することにより垂直部（９）を取付部（１７）とし、かつ、二つの椀状体（１３，１４）の大開口部（４，４）を重ね合わせて前記鍔部同士（１２，１２）を接合することにより一体化したことを特徴とするフィルタエレメント。
【請求項２】
請求項１に記載のフィルタエレメントを用いたエアクリーナであって、
入口部と出口部とを有するフィルタケースにエレメント接続管（２４）が設けられ、当該エレメント接続管（２４）の外周部には、抜け防止部（３０）及び一または複数のシール突起（２９）が形成されており、前記フィルタエレメントの取付部（１７）が、前記エレメント接続管（２４）に取り付けられていることを特徴とするエアクリーナ。
【発明の詳細な説明】
【０００１】
【発明の属する技術分野】
この発明は、金属や合成樹脂を使用せず、軽量で焼却可能なフィルタエレメントを使用したエアクリーナに関する。
【０００２】
【従来の技術】
従来、例えば内燃機関のエアクリーナとして特開平７−２１７５１０号に開示されたものが知られており、そのフィルタエレメントには、金属や発泡ウレタン等の合成樹脂が用いられることが多い。その例を図１に示す。フィルタエレメント２０はひだ折り濾紙２１の周囲を金属板でなる長方形の枠板２２で囲み、その下端縁に、下端側方へ突出したエレメントパッキン２３が発泡ウレタンで形成されている。この他にも、円形エレメントは、一般に、上下に金属製の端板が用いられてひだ折りされた濾紙の端面を閉塞している。
【０００３】
【発明が解決しようとする課題】
しかしながら、実際には以下に説明する技術課題があった。すなわち、上述した従来のフィルタエレメントは、ひだ折りされた濾紙の端面を閉塞する金属製の端板は重量が重く、自動車の軽量化が叫ばれている時代に逆行するばかりでなく、焼却にも問題があった。金属ばかりでなくエレメントに用いられる樹脂類もその焼却には問題があった。
【０００４】
この発明は、以上の問題点を解決するものであって、濾過材で成形した同形状の椀状体の大開口部の平面状の鍔部同士を接合することによってフィルタエレメントとして、軽量で、しかも焼却に適したフィルタエレメントを提供することを目的としている。
【０００５】
【課題を解決するための手段】
前記目的を達成するため、請求項１の発明に係るフィルタエレメントは、不織布を素材とする濾過材からなる二つの椀状体（１３，１４）で構成されるフィルタエレメントであって、これらの二つの椀状体（１３，１４）は、いずれも一端面（３）を大開口部（４）としてその周縁に平面状の鍔部（１２）が形成され、前記大開口部（４）の周壁は、周方向に沿って凹凸状に折り曲げられ、前記一端面（３）と反対側の他端面（８）には、その壁面が内方に折り返されてなる管状の垂直部（９）及びこの垂直部（９）の管口を塞ぐ有底のカップ部（１０）からなる突出部（１１）が設けられ、一方の椀状体（１３）のカップ部（１０）を切断して小開口部（１６）を形成することにより垂直部（９）を取付部（１７）とし、かつ、二つの椀状体（１３，１４）の大開口部（４，４）を重ね合わせて前記鍔部同士（１２，１２）を接合することにより一体化したことを特徴とする。この発明によれば、軽量で、しかも焼却に適したフィルタエレメントを提供することができる。
【０００６】
請求項２の発明に係るフィルタエレメントは、請求項１に記載のフィルタエレメントを用いたエアクリーナであって、入口部と出口部とを有するフィルタケースにエレメント接続管（２４）が設けられ、当該エレメント接続管（２４）の外周部には、抜け防止部（３０）及び一または複数のシール突起（２９）が形成されており、前記フィルタエレメントの取付部（１７）が、前記エレメント接続管（２４）に取り付けられていることを特徴とする。この発明によれば、フィルタエレメントとフィルタケースとの間をシールするために通常用いられる樹脂製のパッキンを使用しなくてよいエアクリーナを提供することができる。
【０００７】
【発明の実施の形態】
以下、この発明の好適な実施の形態を図１〜図６を用いて詳細に説明する。同図のフィルタエレメント１は、図１，３に示すように、不織布等の濾過材２からなる同一形状を有する二つの椀状体１３，１４が組み付けられて成っている。それぞれの椀状体１３，１４は、一端面３を大開口部４として円形状の周囲の立壁部５を図４，５に示すように周方向に沿って凹凸６，７状に折り曲げられている。一方、図１に示すように、他端面８には、フィルタエレメント１の補強と濾過面積の増大とを果たすべく、内方に垂直部９及びこれに連接する有底のカップ部１０を有した突出部１１が設けられている。大開口部４には、その周縁に平面状の鍔部１２が設けられている。
【０００８】
二つの椀状体１３，１４は、図１，２に示すように、一端面３を対立面として両方の椀状体１３，１４を重ね合わせて対向させ、椀状体１３，１４の平面状の鍔部１２，１５を超音波接合や接着剤による接合等で接合して一体とするとともに、一方の椀状体１３の突出部１１のカップ部１０を図２に示すように切断することにより小開口部１６とし、小開口部１６に接続した垂直部９をフィルタエレメント１の取付部１７とした構成になっている。
【０００９】
なお、上記形態では、円形状の椀状体１３について説明したが、図６に想像線１８で示すように六角形のものであってもよく、また他の多角形で構成されていてもよい。
【００１０】
上記実施の形態において、フィルタエレメント１は不織布等の濾過材２のみで構成されているので、汚れた空気はフィルタエレメント１の周囲どこからでもフィルタエレメント１に流入通過して濾過されて清浄にすることができ、また金属や樹脂が使用されていないので、軽量で、しかも焼却に適したフィルタエレメント１とすることができた。
【００１１】
図７，８は、上記フィルタエレメント１を用いたエアクリーナの好適な実施の形態を示している。図７に示すように、フィルタエレメント１はエアクリーナ１９内に収納されている。エアクリーナ１９はフィルタエレメント１の固定ガイド２０を有するカバー２１、入口パイプ２２、出口パイプ２３、フィルタエレメント１を取付けるエレメント接続管２４を有する仕切板２５から成るボディ部２６がフランジ部２７でパッキン２８を介して接続されている。図８に示すように、フィルタエレメント１の取付部１７は不織布等の弾力性の材料で構成されているため、エレメント接続管２４に嵌め込まれてシール突起２９でシールされ、抜け防止部３０で固定されてゴムや合成樹脂などのパッキン材なしでエアクリーナ１９に取付られている。これにより、焼却に適したフィルタエレメント１を使用したエアクリーナ１９とすることができた。
【００１２】
【発明の効果】
以上の構成によれば、フィルタエレメントは不織布等の濾過材のみで構成されているので、汚れた空気はフィルタエレメントの周囲どこからでも流入通過して濾過されて清浄にすることができ、また金属や樹脂が使用されていないので、軽量で、しかも焼却に適したフィルタエレメントとすることができる。
【００１３】
また、フィルタエレメントの取付部は不織布等の弾力性の材料であるため、エレメント接続管に嵌め込まれてシール突起でシールされ、かつ抜防止部で固定されることにより、ゴムや合成樹脂などのパッキン材なしでエアクリーナに取付られているので焼却に適したフィルタエレメントを使用したエアクリーナとすることができた。
【図面の簡単な説明】
【図１】この発明によるフィルタエレメントの椀状体を接合した断面を示す図である。
【図２】同フィルタエレメントの断面を示す図である。
【図３】同フィルタエレメントの椀状体の斜視図である。
【図４】図１のＡ−Ａ視図である。
【図５】Ｂ−Ｂ断面拡大図である。
【図６】同フィルタエレメントの他の実施例を示す図である。
【図７】同フィルタエレメントを取付けたエアクリーナの断面を示す図である。
【図８】同フィルタエレメントの取付部を示す拡大断面である。
【符号の説明】
２  濾過材
４  大開口部
５  立壁部
６，７  凹凸
１０  カップ部
１２  鍔部
１３，１４  椀状体
１６  小開口部
１７  取付部
１９  エアクリーナ
２４  エレメント接続管
２９  シール突起
３０  抜け防止部
【図１】
0004406501.tif 000002
【図２】
0004406501.tif 000003
【図３】
0004406501.tif 000004
【図４】
0004406501.tif 000005
【図５】
0004406501.tif 000006
【図６】
0004406501.tif 000007
【図７】
0004406501.tif 000008
【図８】
0004406501.tif 000009